(57)【要約】      （修正有）【課題】転写、またはホットスタンプによって加飾されたチューブ容器の表面にラベルを貼着し、加飾面を強化したチューブ容器を提供する。【解決手段】チューブ容器として、筒状壁３上の加飾層４の表面に、柔軟性を有する樹脂製透明ラベル５を貼着したことを特徴とし、加飾層４は、転写層７、またはホットスタンプ層であることを特徴とする。ラベル５は、ポリエチレン樹脂フィルムであることを特徴とし、ラベル５の表面に、コート層１１である硬質の樹脂で形成されたクリア塗層を設ける。【選択図】  図３
2005022682.tif 000002
【特許請求の範囲】
【請求項１】
加飾層の表面に、柔軟性を有する樹脂製透明ラベルを貼着したことを特徴とするチューブ容器。
【請求項２】
加飾層が、転写層、またはホットスタンプ層であることを特徴とする請求項１記載のチューブ容器。
【請求項３】
ラベルが、ポリエチレン樹脂フィルムであることを特徴とする請求項１、２記載のチューブ容器。
【請求項４】
ラベルの表面に、クリア塗層を設けたことを特徴とする請求項１〜３記載のチューブ容器。
【請求項５】
クリア塗層が、硬質の樹脂で形成されていることを特徴とする請求項４記載のチューブ容器。
【発明の詳細な説明】
【０００１】
【発明の属する技術分野】
本発明は、チューブ容器、とくにチューブ容器胴部の加飾面にフィルムを貼着したチューブ容器に関する。
【０００２】
【従来の技術】
チューブ容器の加飾として、容器胴部に転写、或いはホットスタンプによって加飾を施すことは、従来より行われており、転写層を保護し、耐久性を増大させるために、転写層表面にオーバーコートを施すことも、従来より知られている（例えば、特許文献１参照。）。
【０００３】
また、印刷を施した表面層を有する積層フィルムを筒状体に成形した後に、低密度ポリエチレン樹脂により押出しコーティング層を形成したチューブ容器も、従来より知られている（例えば、特許文献２参照。）。
【０００４】
【特許文献１】
特公昭６２−２９３０８号公報
【特許文献２】
特開平１０−２０３５４３号公報
【０００５】
【発明が解決しようとする課題】
しかしながら、転写層、またはホットスタンプ層が厚くなったり、パール等の特殊な色を現出させるために無機質の微細粉末を混入したり、または蒸着層を有する場合には、使用中に加飾層がひび割れしたり、剥がれたりするという問題があった。
また、上記特許文献１記載のオーバーコートを施したものでも、転写層がひび割れした場合には、オーバーコートもひび割れすることになり、使用中にその部分から表面に付着した内容物、および外気の侵入によって転写層に酸化や腐食が起こり、使用または保管時に変色や剥がれが発生するおそれがあった。
【０００６】
とくに、チューブ容器の場合、チューブの内容物充填時の底シールの形成で、形状をかえるだけでコーティング層が微細なクレージング状にひび割れするおそれがあり、そのときにも、表面に付着した内容物や、外気等の侵入を防ぐことができなかった。
【０００７】
上記文献２記載のチューブ容器は、その表面を平滑にするとともに印刷層をも保護するものであるが、筒状体に押出しコーティングを施すため、製造工程が複雑となりコストがかかるという問題があった。
【０００８】
本発明は、上記の問題を解決することを課題とし、転写、またはホットスタンプによって加飾されたチューブ容器の表面にラベルを貼着し、加飾面を強化したチューブ容器を提供することを目的とする。
【０００９】
【課題を解決するための手段】
本発明は、上記の課題を解決するため、チューブ容器として、加飾層の表面に、柔軟性を有する樹脂製透明ラベルを貼着したことを特徴とする構成を採用する。
【００１０】
加飾層の実施態様として、加飾層が、転写層、またはホットスタンプ層であることを特徴とする構成を採用する。
【００１１】
ラベルの実施態様として、ラベルが、ポリエチレン樹脂フィルムであることを特徴とする構成を採用する。
【００１２】
また、ラベル表面を保護するために、ラベルの表面に、クリア塗層を設けたことを特徴とする構成、或いはクリア塗層が、硬質の樹脂で形成されていることを特徴とする構成を採用する。
【００１３】
上記透明ラベル、クリア塗層は、加飾層が外側から見える半透明のラベル、塗層も含むものである。
【００１４】
【発明の実施の形態】
次に、本発明の実施形態について、図面を参照して説明する。
図１において、Ａは内容物のシール前のチューブ容器、Ｂはキャップである。チューブ容器Ａは、ヘッド部１と胴部２とを具えており、胴部２は、図２に示すように、チューブ容器Ａを形成する筒状壁３と、その外表面に接着された加飾層４、加飾層４表面に貼着されたラベル５とから構成されている。
【００１５】
筒状壁３は、ポリオレフィン系樹脂の単層シート、またはポリオレフィン系樹脂を内外層とした積層シート、或いは、該積層シート中にアルミ箔を積層したものを筒状体に形成されたものである。
【００１６】
加飾層４は、接着層６と転写印刷層７、剥離層８、ベースフィルムとからなる転写シートを用いて、従来公知の方法によって、筒状壁３の外表面に転写され、接着層６、転写印刷層７と剥離層８によって構成されている。
転写印刷層７は、３〜５色刷りの印刷が施されており、図において、９はインキ層である。
加飾層４の厚さは、実施例では、三色刷りで２５μｍであるが、５色刷りの場合は３５μｍとなっている。
【００１７】
また、加飾層４は、金属蒸着や、ホロ加工を施した転写層であってもよい。
さらにまた、転写印刷層７に替え、ホットスタンプによってアルミ箔を熱転写し、文字や図柄を上面に付した加飾層であってもよい。
【００１８】
ラベル５は、透明または半透明で、柔軟性を有するポリエチレン樹脂フィルムで形成され、転写印刷層７の表面に接着剤１０を用いて貼着されており、図１に示すように、その端部５ａは、転写印刷層７の端部７ａを覆うようにしている。
ポリエチレン樹脂として、とくに軟質の低密度ポリエチレン樹脂が好ましい。
ラベル５の厚さは、転写印刷層７の厚さ、蒸着層の有無に応じて選択でき、２５〜２００μｍとすることができるが、実施例では、７０μｍとしている。
【００１９】
図３に示すように、ラベル５の表面には、エポキシ系塗料、アクリル系塗料、またはウレタン系塗料等を用いてクリア塗装が施され、硬質、かつ、透明または半透明のコート層１１が形成されている。
コート層１１は、ラベル５が、使用中にすり傷等で傷つけられることを防ぐもので、その厚さは、１０μｍ以下のきわめて薄いコート層である。
【００２０】
次に、本発明チューブ容器の作用効果について説明する。
チューブ容器Ａは、内容物を充填した後に底部がシールされる。
底部のシールにあたっては、ラベル５は、軟質でかつ柔軟性のあるフィルムであるから、オーバーコートのような微細なひび割れを起こさない。
【００２１】
チューブ容器Ａの使用にあたって、筒状壁３は、折り曲げ、撓み等の荷重、復元を繰り返し受けることになるが、本発明のラベルを貼着したチューブ容器の場合は、ラベル５がポリエチレン樹脂であるので、ひび割れしたり、破損することはなく、とくに割れやすい加飾層４の端部を覆っているので、外気や湿気、表面に付着した内容物の侵入を、完全に防止することができる。
【００２２】
また、ラベル５は、軟質かつ柔軟性に富んでおり、常に加飾層４に密着し、筒状壁３に追従して動くので、筒状壁３と加飾層４、ラベル５との間に無理な力がかかることはなくなり、加飾層４のひび割れや剥離を防ぐことができる。
【００２３】
また、ラベル５が、軟質でかつ柔軟性に富んだものであっても、その表面に必要に応じて、硬質のコート層１１を設けることによって、すり傷等による傷を防止することができる。
【００２４】
［比較試験］
三色刷り印刷層を転写し、その上に従来のトップコートを施したトップコートチューブと、トップコートに替えてラベルを貼着した本発明のラベルチューブとを比較した。
トップコートチューブは、シールしないものと、底部をシールしたものとに分けて比較した。
比較試験は、▲１▼耐水性、▲２▼耐湿性、▲３▼耐塩水性、▲４▼耐人工汗液、▲５▼化粧落とし、▲６▼化粧水、▲７▼ＵＶカット化粧品の７項目について、４０゜Ｃで、１週間という長時間で行い、差を確認したものである。
【００２５】
▲１▼耐水性試験は、表面に常時水が付着した状態で比較した。
▲２▼耐湿性試験は、４０゜Ｃ、湿度１００％ＲＨの条件の下で１週間放置した。
▲３▼耐塩水性試験、▲４▼耐人工汗液試験は、それぞれ表面に塩水、人工汗の液が常時付着した状態で比較した。
以下、▲５▼化粧落とし、▲６▼化粧水、▲７▼ＵＶカット化粧品は、それぞれの化粧料が常時付着した状態で比較した。
【００２６】
比較試験の結果は、表１に示すとおりである。
【表１】
2005022682.tif 000003
【００２７】
試験からも明らかなように、トップコートチューブで、シールなしの場合、転写印刷層にひび割れが発生した。
これは、トップコートのひび割れとともに、転写層の端面より、外気や水分が入って割れやすくなったことによるものと考えられる。
【００２８】
シールチューブの場合には、トップコートの微細なひび割れが大きくなり、シールなしの場合より以上に外気や水分、内容物の侵入が大きくなったものと考えられる。
【００２９】
これに対して、本発明のラベルチューブの場合は、ラベル、加飾層に何ら変化がみられなかった。
このことは、使用中に、折り曲げ、撓み等の荷重が繰り替えされるチューブの転写層、またはホットスタンプ層の強度を保ち、保護する方法として、ラベルを貼着することは、最適の方法であることを示すものということができる。
【００３０】
また、▲１▼耐水性、▲２▼耐湿性試験は、風呂場等で使用することを想定したものであるが、ラベル貼着によって、水濡れや多湿にも加飾層が保護されることは明らかになった。
【００３１】
上記実施形態では、チューブ容器について説明したが、その加飾面の保護については、チューブ容器と同様に、胴部を押圧することによって内容物を押出し、撓み荷重を受けるスクイズ容器にも適用することができる。
その場合、図２における３は、スクイズ容器の胴周壁に相当し、４は、加飾面に相当し、同等の加飾層の構成を得ることができる。
加飾は、転写またはホットスタンプにより加飾を施し、その上からラベルを貼着する。
そのことによって、前記実施形態と同等の作用効果を得ることができる。
【００３２】
【発明の効果】
本発明は、上記のように構成されているから、次の効果を奏する。
加飾面の上から透明なラベルを、加飾面を完全に被って貼着するようにしたから、外気や付着した内容液の侵入を防ぐことができるので、加飾層の劣化を防止することができる。
【００３３】
また、ラベルが、軟質で柔軟であるから、加飾面に密着し、チューブの折れ曲がり、撓みに追随して一体に動くことができるから、ラベルと加飾面、チューブ筒状壁との間に無理な力が働かないようになった。
そのことによって、加飾面の割れ、剥離をなくし、加飾面を保護できるようになった。
【００３４】
また、ラベルの表面に、必要に応じて、硬質のコート層を設けることによって、すり傷等による傷を防止することができ、装飾効果を損なうこともない。
また、加飾面の上からラベルを貼着するだけであるから、製造も容易である。
【図面の簡単な説明】
【図１】本発明チューブ容器の底シール前の立面図である。
【図２】チューブ容器の壁面の縦断面図である。
【図３】ラベルの表面にコート層を設けたチューブ容器の壁面の縦断面図である。
【符号の説明】
Ａ    チューブ容器
Ｂ    キャップ
１    ヘッド部
２    胴部
３    筒状壁
４    加飾層
５    ラベル
５ａ  端部
６    接着層
７    転写印刷層
７ａ  端部
８    剥離層
９    インキ層
１０  接着層
１１  コート層
【図１】
2005022682.tif 000004
【図２】
2005022682.tif 000005
【図３】
2005022682.tif 000006
【手続補正書】
【提出日】平成15年7月1日(2003.7.1)
【手続補正１】
【補正対象書類名】明細書
【補正対象項目名】請求項４
【補正方法】変更
【補正の内容】
【請求項４】
ラベルの表面に、クリアコート層を設けたことを特徴とする請求項１〜３記載のチューブ容器。
【手続補正２】
【補正対象書類名】明細書
【補正対象項目名】請求項５
【補正方法】変更
【補正の内容】
【請求項５】
クリアコート層が、硬質の樹脂で形成されていることを特徴とする請求項４記載のチューブ容器。
【手続補正３】
【補正対象書類名】明細書
【補正対象項目名】００１２
【補正方法】変更
【補正の内容】
【００１２】
また、ラベル表面を保護するために、ラベルの表面に、クリアコート層を設けたことを特徴とする構成、或いはクリアコート層が、硬質の樹脂で形成されていることを特徴とする構成を採用する。


【手続補正４】
【補正対象書類名】明細書
【補正対象項目名】００１３
【補正方法】変更
【補正の内容】
【００１３】
上記透明ラベル、クリアコート層は、加飾層が外側から見える半透明のラベル、コート層も含むものである。